(57)【特許請求の範囲】
【請求項１】
液体の流路に接続されて当該液体を流通させ得る導入口及び導出口が形成されるとともに、その流通させた液体を採取可能な採取口が形成された透析液取出手段と、
該透析液取出手段の採取口に対して脱着可能とされ、当該採取口を開閉し得る開閉手段と、
該開閉手段に取り付けられ、当該開閉手段が前記透析液取出手段の採取口に取り付けられた状態で当該採取口をシールするシール手段と、
を具備した透析液取出装置において、
前記開閉手段のシール手段を加熱し得る加熱手段を備えたことを特徴とする透析液取出装置。
【請求項２】
前記加熱手段は、前記開閉手段に固定されたことを特徴とする請求項１記載の透析液取出装置。
【請求項３】
前記加熱手段は、前記開閉手段が前記透析液取出手段の採取口に取り付けられた状態で、前記シール手段を介して当該採取口を加熱して消毒可能とされたことを特徴とする請求項２記載の透析液取出装置。
【請求項４】
前記透析液取出手段の採取口から取り外された前記開閉手段を載置する載置手段を具備するとともに、前記加熱手段は当該載置手段に取り付けられたことを特徴とする請求項１記載の透析液取出装置。
【請求項５】
前記開閉手段を保持するとともに、前記透析液取出手段の採取口に当該開閉手段を取り付けた状態と当該採取口から当該開閉手段を取り外した状態とで切替可能な保持手段を具備したことを特徴とする請求項４記載の透析液取出装置。
【請求項６】
前記加熱手段は、通電により加熱可能とされるとともに設定温度に保持可能な半導体ヒータから成ることを特徴とする請求項１〜５の何れか１つに記載の透析液取出装置。
【請求項７】
請求項１〜６の何れか１つに記載の透析液取出装置を具備したことを特徴とする血液浄化装置。
【発明の詳細な説明】
【技術分野】
【０００１】
本発明は、液体の流路に接続されて当該液体を流通させ得る導入口及び導出口が形成されるとともに、その流通させた液体を採取可能な採取口が形成された透析液取出手段と、透析液取出手段の採取口に対して脱着可能とされ、当該採取口を開閉し得る開閉手段と、開閉手段に取り付けられ、当該開閉手段が透析液取出手段の採取口に取り付けられた状態で当該採取口をシールするシール手段とを具備した透析液取出装置に関するものである。
【背景技術】
【０００２】
近時において、血液浄化装置としての透析装置では透析治療（特に、オンラインＨＤＦ又はオンラインＨＦ）時においてダイアライザに供給するための透析液を用いてプライミング、返血及び補液（緊急補液）を行う技術や、当該透析液をオンラインＨＤＦやオンラインＨＦの治療のための置換液として利用する技術が提案されるに至っている。例えば、特許文献１には、一端が透析液導入ラインの所定部位に形成された透析液取出ポート（採取口）に接続されるとともに、他端が血液回路（動脈側血液回路又は静脈側血液回路）に接続された補液ラインと、補液ラインに配設された補液ポンプとを具備した透析装置が開示されている。かかる透析装置により、プライミング、返血又は補液（緊急補液）を行うには、補液ポンプを駆動させることにより、透析液導入ラインの透析液を血液回路（動脈側血液回路又は静脈側血液回路）に供給するようになっている。
【０００３】
通常、かかる透析液取出ポートに対してキャップ（開閉手段）が脱着自在とされており、当該キャップを取り外して補液ライン等を接続させるとともに、補液ライン等を接続しない場合は、キャップを取り付けて透析液導入ラインを流れる透析液が外部に漏れ出ないようになっている。例えば、透析液導入ラインや透析液排出ライン等の透析液が流通する配管を洗浄及び消毒するには、採取口にキャップを取り付けた状態として当該配管にて洗浄水や消毒水を流通させることにより、洗浄水や消毒液が外部に漏れ出てしまうのを防止している。
【先行技術文献】
【特許文献】
【０００４】
【特許文献１】特開２００４−３１３５２２号公報
【発明の概要】
【発明が解決しようとする課題】
【０００５】
しかしながら、上記従来の透析液取出装置においては、採取口にシリンジや接続ラインを挿入する際に、菌が付着する虞があるため、清浄化を図るべく、アルコール等により医療従事者等の作業員が都度消毒作業を行っていた。また、採取口に脱着可能なキャップ（特に、採取口をシールするためのシール手段）においても、採取口と同様に、アルコール等により医療従事者等の作業員が都度消毒作業を行っており、消毒作業に手間がかかっていた。
【０００６】
本発明は、このような事情に鑑みてなされたもので、採取口又は開閉手段のシール手段の消毒作業を自動化させることができ、当該採取口又は開閉手段のシール手段を確実かつ容易に清浄化させることができる透析液取出装置を提供することにある。
【課題を解決するための手段】
【０００７】
請求項１記載の発明は、液体の流路に接続されて当該液体を流通させ得る導入口及び導出口が形成されるとともに、その流通させた液体を採取可能な採取口が形成された透析液取出手段と、該透析液取出手段の採取口に対して脱着可能とされ、当該採取口を開閉し得る開閉手段と、該開閉手段に取り付けられ、当該開閉手段が前記透析液取出手段の採取口に取り付けられた状態で当該採取口をシールするシール手段とを具備した透析液取出装置において、前記開閉手段のシール手段を加熱し得る加熱手段を備えたことを特徴とする。
【０００８】
請求項２記載の発明は、請求項１記載の透析液取出装置において、前記加熱手段は、前記開閉手段に固定されたことを特徴とする。
【０００９】
請求項３記載の発明は、請求項２記載の透析液取出装置において、前記加熱手段は、前記開閉手段が前記透析液取出手段の採取口に取り付けられた状態で、前記シール手段を介して当該採取口を加熱して消毒可能とされたことを特徴とする。
【００１０】
請求項４記載の発明は、請求項１記載の透析液取出装置において、前記透析液取出手段の採取口から取り外された前記開閉手段を載置する載置手段を具備するとともに、前記加熱手段は当該載置手段に取り付けられたことを特徴とする。
【００１１】
請求項５記載の発明は、請求項４記載の透析液取出装置において、前記開閉手段を保持するとともに、前記透析液取出手段の採取口に当該開閉手段を取り付けた状態と当該採取口から当該開閉手段を取り外した状態とで切替可能な保持手段を具備したことを特徴とする。
【００１２】
請求項６記載の発明は、請求項１〜５の何れか１つに記載の透析液取出装置において、前記加熱手段は、通電により加熱可能とされるとともに設定温度に保持可能な半導体ヒータから成ることを特徴とする。
【００１３】
請求項７記載の発明は、請求項１〜６の何れか１つに記載の透析液取出装置を具備したことを特徴とする血液浄化装置である。
【発明の効果】
【００１４】
請求項１の発明によれば、開閉手段のシール手段を加熱し得る加熱手段を備えたので、採取口又は開閉手段のシール手段の消毒作業を自動化させることができ、当該採取口又は開閉手段のシール手段を確実かつ容易に清浄化させることができる。
【００１５】
請求項２の発明によれば、加熱手段は、開閉手段に固定されたので、当該開閉手段が採取口に取り付けられた状態及び当該採取口から取り外された状態の何れにおいてもシール手段を加熱して消毒させることができる。
【００１６】
請求項３の発明によれば、加熱手段は、開閉手段が透析液取出手段の採取口に取り付けられた状態で、シール手段を介して当該採取口を加熱して消毒可能とされたので、閉状態の採取口を確実に消毒することができる。
【００１７】
請求項４の発明によれば、透析液取出手段の採取口から取り外された開閉手段を載置する載置手段を具備するとともに、加熱手段は当該載置手段に取り付けられたので、載置手段により採取口から取り外された開閉手段の紛失を回避することができ、かつ、載置された開閉手段に対して加熱消毒を図ることができる。
【００１８】
請求項５の発明によれば、開閉手段を保持するとともに、透析液取出手段の採取口に当該開閉手段を取り付けた状態と当該採取口から当該開閉手段を取り外した状態とで切替可能な保持手段を具備したので、開閉手段の開閉手段に対する脱着作業を容易かつ確実に行わせることができる。
【００１９】
請求項６の発明によれば、加熱手段は、通電により加熱可能とされるとともに設定温度に保持可能な半導体ヒータから成るので、温度を一定に保つためのサーミスタ等の別個の手段を不要とすることができ、装置構成を簡素化させることができる。
【００２０】
請求項７の発明によれば、採取口又は開閉手段のシール手段の消毒作業を自動化させることができ、当該採取口又は開閉手段のシール手段を確実かつ容易に清浄化させることができる透析液取出装置を具備した血液浄化装置を提供することができる。
【図面の簡単な説明】
【００２１】
【図１】本発明の透析液取出装置が適用される血液浄化装置を示す模式図
【図２】本発明の第１の実施形態に係る透析液取出装置（採取口に開閉手段を取り付けた状態）を示す断面模式図
【図３】同透析液取出装置におけるキャップ（開閉手段）を示す正面図及び側面図
【図４】同透析液取出装置における透析液取出手段（開閉手段を取り外した状態）を示す断面模式図
【図５】本発明の第２の実施形態に係る透析液取出装置（採取口に開閉手段を取り付けた状態）を示す断面模式図
【図６】同透析液取出装置におけるキャップ（開閉手段）を示す正面図及び側面図
【図７】同透析液取出装置における透析液取出手段（開閉手段を取り外した状態）を示す断面模式図
【図８】本発明の第３の実施形態に係る透析液取出装置（採取口に開閉手段を取り付けた状態）を示す断面模式図
【図９】同透析液取出装置における透析液取出手段（開閉手段を取り外した状態）を示す断面模式図
【図１０】同透析液取出装置の採取口に接続可能な接続手段を示す断面模式図
【図１１】本発明の第４の実施形態に係る透析液取出装置（採取口に開閉手段を取り付けた状態）を示す断面模式図
【図１２】同透析液取出装置における透析液取出手段（開閉手段を取り外して載置手段に載置させた状態）を示す断面模式図
【発明を実施するための形態】
【００２２】
以下、本発明の実施形態について図面を参照しながら具体的に説明する。
第１の実施形態に係る透析液取出装置は、血液浄化治療（血液透析治療）で使用される血液浄化装置に配設され、透析液を採取可能とされたものである。適用される血液浄化装置は、図１に示すように、ダイアライザ１（血液浄化器）に動脈側血液回路２及び静脈側血液回路３が接続された血液回路と、透析液導入ラインＬ１及び透析液排出ラインＬ２を有した透析装置本体Ｂとから主に構成されている。
【００２３】
ダイアライザ１は、血液を浄化するためのもので、血液回路を構成する動脈側血液回路２及び静脈側血液回路３とそれぞれ接続されるとともに、透析液導入ラインＬ１及び透析液排出ラインＬ２とそれぞれ接続されており、動脈側穿刺針ａから採取された患者の血液を血液回路にて体外循環させ、ダイアライザ１にて血液浄化及び除水した後、静脈側穿刺針ｂから患者に戻すようになっている。なお、図中符号４は、しごき型のポンプである血液ポンプを示しているとともに、図中符号５、６は、エアトラップチャンバを示している。
【００２４】
また、透析液導入ラインＬ１及び透析液排出ラインＬ２には、所定濃度に調製された透析液をダイアライザ１に供給し、当該ダイアライザ１から排出させる複式ポンプ７が接続されている。さらに、透析装置本体Ｂ内には、バイパスラインや電磁弁が任意位置に複数配設されており、複式ポンプ７をバイパスさせるバイパスラインには、除水ポンプ８が接続されている。
【００２５】
そして、透析装置本体Ｂ内の配管を消毒又は洗浄するには、透析液導入ラインＬ１及び透析液排出ラインＬ２の先端をダイアライザ１から取り外し、例えばカプラ等により当該先端同士を互いに接続して配管を短絡させた後、透析装置本体Ｂの外部（例えば透析液供給装置等）から消毒液（熱湯や消毒薬液）又は洗浄水（清浄水）を導入して当該透析装置本体Ｂにおける配管内の液体（透析液等）と置換することにより行われる。なお、例えば透析液排出ラインＬ２から流路を分岐させ、その先端を消毒液等が収容されたタンクに挿入させることにより、当該タンク内から消毒液等を配管内に導入して置換させるようにしてもよい。
【００２６】
ここで、透析液導入ラインＬ１には、本発明の第１の実施形態に係る透析液取出装置が接続されている。本実施形態に係る透析液取出装置は、図２〜４に示すように、透析液導入ラインＬ１（液体の流路）に接続されて当該液体（透析液）を流通させ得る導入口９ａ及び導出口９ｂが形成されるとともに、その流通させた液体を採取可能な採取口９ｃが形成された透析液取出手段９と、開閉手段としてのキャップ１０と、シール手段１１と、加熱手段１２とを具備したものである。
【００２７】
より具体的には、透析液取出手段９は、その導入口９ａ及び導出口９ｂのそれぞれに透析液導入ラインＬ１が接続され、内部に透析液を流通可能とされたもので、その流路（導入口９ａから導出口９ｂに向かって透析液が流れる流路）は、略９０度折れ曲がってＬ字状に延設されているとともに、採取口９ｃは、導入口９ａに対して略同一直線上に位置するよう形成されている。なお、本実施形態においては、採取口９ｃが形成された部位は、導入口９ａ及び導出口９ｂが形成された部位とは別部材とされ、それらがシール部材を介して連結された構成とされているが、一体部品であってもよい。
【００２８】
さらに、採取口９ｃは、キャップ１０（開閉手段）を取り外した状態でシリンジ（不図示）や接続ラインＬ３（先端が血液回路の所定部位に接続された補液ライン）等の接続手段が接続されるもので、外周面に雄ネジ部９ｃａが形成されている。かかる雄ネジ部９ｃａは、接続ラインＬ３の基端に形成されたロックリング等と噛み合うよう形成されており、当該ロックリングを螺合させて固定可能とされている。
【００２９】
なお、本実施形態に係る接続ラインＬ３は、例えば動脈側血液回路２に接続されたエアトラップチャンバ５又は静脈側血液回路３に接続されたエアトラップチャンバ６に接続され、透析液導入ラインＬ１中の透析液を動脈側血液回路２又は静脈側血液回路３に供給し得るものとされている。これにより、透析液を使用してプライミング、補液又は返血等を行わせることができ、或いは当該透析液をオンラインＨＤＦやオンラインＨＦの治療のための置換液として利用することができる。
【００３０】
開閉手段としてのキャップ１０は、透析液取出手段９の採取口９ｃに対して脱着可能とされ、当該採取口９ｃを開閉し得るもので、シール手段１１と、加熱手段１２とを有して成る。このうちシール手段１１は、キャップ１０に取り付けられ、当該キャップ１０が透析液取出手段９の採取口９ｃに取り付けられた状態で採取口９ｃをシールするためのものであり、採取口９ｃの先端開口から挿入されてシール可能とされている。
【００３１】
加熱手段１２は、キャップ１０のシール手段１１を加熱し得るもので、本実施形態においては発熱部がシール手段１１に密着して配設された半導体ヒータから成る。この半導体ヒータは、通電により加熱可能とされるとともに設定温度に保持可能な自己制御が可能とされた半導体にて構成されたもので、折り曲げが可能で耐衝撃に優れるとともに消費電力が小さいという特性を有している。なお、加熱手段１２は、図示しない配線に接続されており、任意タイミングにて通電可能とされている。
【００３２】
しかして、加熱手段１２に通電させて発熱させると、シール手段１１を加熱することができるとともに、その熱が当該シール手段１１を介して透析液取出手段９の採取口９ｃに伝わって、当該採取口９ｃの被シール部９ｃｂ（採取口９ｃの先端側内周面）を加熱可能とされている。すなわち、加熱手段１２により、シール手段１１と採取口９ｃの被シール部９ｃｂとの両方を加熱してそれぞれを消毒することができるのである。
【００３３】
なお、十分な消毒効果を得るため、加熱手段１２の設定温度は、例えば６５℃以上が好ましく、８０℃以上であれば更に好ましい。また、加熱手段１２に対する通電は、キャップ１０が採取口９ｃに取り付けられた状態（例えば、治療が行われていない時間であって、次回の治療が行われるまでの間等）において行うもの、或いは採取口９ｃから取り外された状態において行うものの何れであってもよく、一定時間でオン・オフを繰り返し行わせるもの、或いはプログラムによりオン・オフさせるものの何れであってもよい。
【００３４】
しかるに、本実施形態においては、キャップ１０を保持するとともに、透析液取出手段９の採取口９ｃにキャップ１０を取り付けた状態（図２参照）と当該採取口９ｃからキャップ１０を取り外した状態（図４参照）とで切替可能な保持手段１３を具備している。この保持手段１３は、図２に示すように、シャフト部材１４と、スプリング１５と、シャフト部材１６とを有して構成されており、当該シャフト部材１４を中心に回動自在とされている。また、シャフト部材１４の基端には、バネ受け１４ａが形成されており、当該バネ受け１４ａと透析液取出手段９との間には、スプリング１５が介装されている。これにより、保持手段１３は、スプリング１５の付勢力により常時、同図中左方向に付勢されている。
【００３５】
しかして、キャップ１０が採取口９ｃを覆った状態（図２参照）においては、スプリング１５の付勢力によってキャップ１０が採取口９ｃに押圧され、閉状態が保持されるようになっている。また、スプリング１５の付勢力に抗して保持手段１３をキャップ１０と共に移動（同図中右方向への移動）させ、キャップ１０を採取口９ｃから離間した状態としつつシャフト部材１４を中心として回動させれば、図４に示すように、採取口９ｃを開放させた状態とすることができる。これにより、採取口９ｃにシリンジや接続ラインＬ３等の接続手段を接続することができる。
【００３６】
本実施形態によれば、キャップ１０のシール手段１１を加熱し得る加熱手段１２を備えたので、採取口９ｃやキャップ１０のシール手段１１の消毒作業を自動化させることができ、当該採取口９ｃやキャップ１０のシール手段１１を確実かつ容易に清浄化させることができる。また、本実施形態によれば、加熱手段１２は、キャップ１０に固定されたので、当該キャップ１０が採取口９ｃに取り付けられた状態及び当該採取口９ｃから取り外された状態の何れにおいてもシール手段１１を加熱して消毒させることができる。
【００３７】
さらに、本実施形態によれば、加熱手段１２は、キャップ１０が透析液取出手段９の採取口９ｃに取り付けられた状態で、シール手段１１を介して当該採取口９ｃを加熱して消毒可能とされたので、閉状態の採取口９ｃを確実に消毒することができる。またさらに、本実施形態に係る加熱手段１２は、通電により加熱可能とされるとともに設定温度に保持可能な半導体ヒータから成るので、温度を一定に保つためのサーミスタ等の別個の手段を不要とすることができ、装置構成を簡素化させることができる。
【００３８】
また、キャップ１０が保持手段１３にて保持されているので、キャップ１０による採取口９ｃに対するシールを強固かつ確実に行わせることができるとともに、採取口９ｃを開状態としたとき、キャップ１０の紛失等を回避することができる。また、保持手段１３の向き（シャフト部材１４を中心とした回動位置）を検知する検知手段を設けるようにすれば、採取口９ｃが開状態であるのか閉状態であるのかを検出させることができる。
【００３９】
次に、本発明の第２の実施形態に係る透析液取出装置について説明する。
本実施形態に係る透析液取出装置は、第１の実施形態と同様、図１で示す如き血液浄化装置の透析液導入ラインＬ１に接続されたもので、図５〜７に示すように、透析液導入ラインＬ１（液体の流路）に接続されて当該液体（透析液）を流通させ得る導入口９ａ及び導出口９ｂが形成されるとともに、その流通させた液体を採取可能な採取口９ｃが形成された透析液取出手段９と、該透析液取出手段９の採取口９ｃに対して脱着可能とされ、当該採取口９ｃを開閉し得る開閉手段としてのキャップ１７と、シール手段１８と、加熱手段１２とを具備したものである。
【００４０】
本実施形態に係るキャップ１７は、介在部材１７ａの一方の面にシール手段１８が形成されるとともに、他方の面に加熱手段１２が形成されて構成されている。シール手段１８は、キャップ１７に取り付けられ、当該キャップ１７が透析液取出手段９の採取口９ｃに取り付けられた状態で採取口９ｃをシールするためのもので、本実施形態においてはゴム製部材から成るものとされている。このシール手段１８は、板状のシール部材から成り、採取口９ｃの先端開口の周縁に密着してシール可能とされている。なお、介在部材１７ａは、伝熱性の良好な金属材料から成るものが好ましく、キャップ１７におけるシール手段１８及び介在部材１７ａ以外の部材は、断熱のため樹脂製部材が好ましい。
【００４１】
しかして、加熱手段１２に通電させて発熱させると、介在部材１７ａを介してシール手段１８を加熱することができるとともに、その熱が当該シール手段１８を介して透析液取出手段９の採取口９ｃに伝わって、当該採取口９ｃの被シール部（本実施形態においては、採取口９ｃの開口縁部）を加熱可能とされている。すなわち、加熱手段１２により、シール手段１８と採取口９ｃの被シール部との両方を加熱してそれぞれを消毒することができるのである。
【００４２】
なお、本実施形態においては、第１の実施形態と同様、キャップ１７を保持するとともに、透析液取出手段９の採取口９ｃにキャップ１７を取り付けた状態（図５参照）と当該採取口９ｃからキャップ１７を取り外した状態（図７参照）とで切替可能な保持手段１３を具備している。かかる保持手段１３の構成については、第１の実施形態と同様である。しかして、キャップ１７が採取口９ｃを覆った状態（図５参照）においては、スプリング１５の付勢力によってキャップ１７が採取口９ｃに押圧され、閉状態が保持されるようになっている。
【００４３】
また、スプリング１５の付勢力に抗して保持手段１３をキャップ１７と共に移動（同図中右方向への移動）させ、キャップ１７を採取口９ｃから離間した状態としつつシャフト部材１４を中心として回動させれば、図７に示すように、採取口９ｃを開放させた状態とすることができる。これにより、採取口９ｃにシリンジや接続ラインＬ３等の接続手段を接続することができる。
【００４４】
本実施形態によれば、キャップ１７のシール手段１８を加熱し得る加熱手段１２を備えたので、採取口９ｃやキャップ１７のシール手段１８の消毒作業を自動化させることができ、当該採取口９ｃやキャップ１７のシール手段１８を確実かつ容易に清浄化させることができる。また、本実施形態によれば、加熱手段１２は、キャップ１７に固定されたので、当該キャップ１７が採取口９ｃに取り付けられた状態及び当該採取口９ｃから取り外された状態の何れにおいてもシール手段１８を加熱して消毒させることができる。
【００４５】
さらに、本実施形態によれば、加熱手段１２は、キャップ１７が透析液取出手段９の採取口９ｃに取り付けられた状態で、シール手段１８を介して当該採取口９ｃを加熱して消毒可能とされたので、閉状態の採取口９ｃを確実に消毒することができる。またさらに、本実施形態に係る加熱手段１２は、通電により加熱可能とされるとともに設定温度に保持可能な半導体ヒータから成るので、温度を一定に保つためのサーミスタ等の別個の手段を不要とすることができ、装置構成を簡素化させることができる。
【００４６】
また、キャップ１７が保持手段１３にて保持されているので、キャップ１７による採取口９ｃに対するシールを強固かつ確実に行わせることができるとともに、採取口９ｃを開状態としたとき、キャップ１７の紛失等を回避することができる。また、保持手段１３の向き（シャフト部材１４を中心とした回動位置）を検知する検知手段を設けるようにすれば、採取口９ｃが開状態であるのか閉状態であるのかを検出させることができる。
【００４７】
次に、本発明の第３の実施形態に係る透析液取出装置について説明する。
本実施形態に係る透析液取出装置は、第１、２の実施形態と同様、図１で示す如き血液浄化装置の透析液導入ラインＬ１に接続されたもので、図８、９に示すように、透析液導入ラインＬ１（液体の流路）に接続されて当該液体（透析液）を流通させ得る導入口９ａ及び導出口９ｂが形成されるとともに、その流通させた液体を採取可能な採取口１９が形成された透析液取出手段９と、キャップ２３と、シール手段２４と、加熱手段１２とを具備したものである。
【００４８】
本実施形態に係る透析液取出手段９は、採取口１９の外周を覆う円筒状の外周壁部２０を有している。かかる外周壁部２０は、その外周面に、キャップ２３（開閉手段）のシール手段２４（具体的にはシール手段２４の凸部２４ａ）と当接してシール可能な被シール部２０ｂが形成されているとともに、内周面に、接続ラインＬ３の基端に形成された接続手段２９のネジ部２９ｂａ（図１０参照）と螺合し得るネジ部２０ａがそれぞれ形成されている。すなわち、外周壁部２０に接続手段２９を係止して固定させることにより、採取口１９が接続手段２９を介して接続ラインＬ３と接続可能とされているのである。
【００４９】
本実施形態に係る外周壁部２０は、採取口１９の一部を構成するもので、採取口１９の突端を覆って突出して成るものとされている。すなわち、外周壁部２０の突出寸法は、採取口１９の突出寸法より大きく設定されていることから、外周壁部２０にて採取口１９の突端を覆った状態とされているのである。これにより、キャップ２３が採取口１９から外された状態においても当該採取口１９に人の指が触れてしまうのを回避させることができ、衛生管理をより確実に図ることができる。
【００５０】
一方、接続手段２９は、図１０に示すように、採取口１９から採取した液体を流通させるための接続ラインＬ３の先端部に取り付けられ、内周面２９ａ及び外周面２９ｂを有した円略筒状部材から成るものである。この外周面２９ｂの先端側（採取口１９との接続部位側）には、外周壁部２０のネジ部２０ａと螺合し得るネジ部２９ｂａが一体形成されている。しかして、接続手段２９の内周面２９ａが採取口１９の外周面に嵌合しつつ当該接続手段２９の外周面２９ｂのネジ部２９ｂａが外周壁部２０の内周面に形成されたネジ部２０ａと螺合することにより係止されて当該採取口１９に接続ラインＬ３が接続可能とされている。
【００５１】
このように、接続手段２９の内周面２９ａが採取口１９の外周面に嵌合しつつ当該接続手段２９の外周面２９ｂが外周壁部２０の内周面に係止されて当該採取口１９に接続ラインＬ３が接続可能とされたので、接続手段２９の採取口１９に対する接続面がその内周面（接続手段２９の内部）となることから、その接続面に人の指が触れてしまうのを回避させることができ、衛生管理をより確実に図ることができる。
【００５２】
ここで、本実施形態に係る透析液取出手段９の採取口１９は、キャップ２３が取り付けられた状態で、導入口９ａから導入された液体を採取口１９内に案内する案内路αと、該案内路αで案内された液体を導出口９ｂ側へ排出させる排出路βとを画成するよう構成されている。すなわち、キャップ２３が外周壁部２０に取り付けられると、シール手段２４にて当該外周壁部２０の突端面側がシールされて密閉空間が形成されるとともに、その密閉空間が採取口１９にて案内路αと排出路βとに画成されるのである。しかして、採取口１９の内部が案内路αとされるとともに、当該採取口１９の外周面と外周壁部２０の内周面との間が排出路βとされることとなる。
【００５３】
このように、本実施形態に係る採取口１９は、接続手段２９等が接続されて液体を採取させる機能を有するとともに、キャップ２３が取り付けられた状態においては、案内路αと排出路βとを画成する機能を兼ね備えているのである。なお、本実施形態においては、採取口１９が円筒状部材で構成されているが、案内路αと排出路βとを画成し得る筒状の部材であれば他の形状（例えば断面が矩形形状のもの等）のものであってもよい。
【００５４】
一方、透析液取出手段９には、排出路βと導出口９ｂ側の流路とを連結させるための連結路γが形成されている。これにより、導入口９ａから案内路αを介して採取口１９先端に向かって流れた液体は、排出路β及び連結路γを通って導出口９ｂから排出され、導入口９ａから導出口９ｂに向かって流れる液体と合流して当該導出口９ｂから流出し得るようになっている。
【００５５】
さらに、本実施形態に係る透析液取出手段９は、導入口９ａから導入された液体のうち、案内路αに向かって流れる液体の圧力を導出口９ｂに向かって流れる液体の圧力より大きくする圧力差形成手段２１を具備している。かかる圧力差形成手段２１は、導入口９ａから採取口１９に向かって流れる液体の流通路から成るとともに、当該流通路は、流路の径が採取口１９側（図８中右側）に向かって次第に小さくなるテーパ面とされている。これにより、導入口９ａから採取口１９に向かって流れる液体の圧力を導入口９ａから排出口９ｂに向かって流れる液体の圧力に対して相対的に大きくすることができる。
【００５６】
また、本実施形態に係る圧力差形成手段２１と採取口１９とは、一体部品Ｋ（例えば、一体成形部品）から成るものとされている。このように、圧力差形成手段２１と採取口１９とが一体部品Ｋから成るものとすれば、透析液取出手段９における部品点数を削減することができ、製造コストやメンテナンスコストを低減させることができる。なお、圧力差形成手段２１と採取口１９とを別個形成し、それらを連結させて一体部品Ｋとしてもよい。
【００５７】
さらに、一体部品Ｋにおける基端側（図中左端側）の周縁には、凸状のシール部Ｋａが形成されているとともに、当該シール部Ｋａと対向する部位には、被シール部材９ｄが配設されている。また、一体部品Ｋは、スプリング２２により、被シール部材９ｄに対してシール部Ｋａが離間する方向に常時付勢されている。そして、接続手段２９が採取口１９に接続される際（すなわち、接続手段２９のネジ部２９ｂａが外周壁部２０の内周面に形成されたネジ部２０ａと螺合する過程で）、一体部品Ｋがスプリング２２の付勢力に抗して移動し、被シール部材９ｄに対してシール部Ｋａが当接してシールすることにより、連結路γを遮蔽し得るようになっている。
【００５８】
しかして、接続手段２９が採取口１９に接続された状態において、排出路βを介して液体が外部に流れるのを遮断することとなる。このように、接続手段２９が採取口１９に接続された状態において、排出路βを介して液体が外部に流れるのを遮断するので、採取口１９から接続手段２９を介して液体を採取する際、排出路βから液体が外部に漏れてしまうのを確実に回避させることができ、採取した液体を接続ラインＬ３に対してより良好に流通させることができる。
【００５９】
ところで、本実施形態に係るキャップ２３は、介在部材２５の断面がコ字状に形成され、その内周面に沿ってコ字状のシール手段２４が形成されるとともに、当該介在部材２５の背面側には加熱手段１２が固定されている。シール手段２４は、キャップ２３に取り付けられ、当該キャップ２３が透析液取出手段９の採取口１９に取り付けられた状態（本実施形態においては、外周壁部２０に取り付けられた状態）で採取口９ｃをシール（本実施形態においては、採取口９ｃを含む空間をシール）するためのものであり、本実施形態においてはゴム製部材から成るものとされている。
【００６０】
このシール手段２４は、断面がコ字状のシール部材から成り、内側に向かって凸状に形成された凸部２４ａが形成されているとともに、キャップ２３が採取口１９（外周壁部２０）に取り付けられると、当該凸部２４ａが外周壁部２０の被シール部２０ｂに当接してシール可能とされている。なお、介在部材２５は、伝熱性の良好な金属材料から成るものが好ましい。
【００６１】
しかして、加熱手段１２に通電させて発熱させると、介在部材２５を介してシール手段２４を加熱することができるとともに、その熱が当該シール手段２４を介して外周壁部２０の外周面に伝わって、当該外周壁部２０の被シール部２０ｂ（本実施形態においては、外周壁部２０の外周面）を加熱可能とされている。すなわち、加熱手段１２により、シール手段２４と外周壁部２０の被シール部２０ｂとの両方を加熱してそれぞれを消毒することができるのである。
【００６２】
なお、本実施形態においては、第１、２の実施形態と同様、キャップ２３を保持するとともに、透析液取出手段９の外周壁部２０にキャップ２３を取り付けて採取口１９を閉とした状態（図８参照）と当該外周壁部２０からキャップ２３を取り外して採取口１９を開とした状態（図９参照）とで切替可能な保持手段１３を具備している。かかる保持手段１３の構成については、第１、２の実施形態と同様である。しかして、キャップ２３が採取口１９を覆った状態（図８参照）においては、スプリング１５の付勢力によってキャップ２３が採取口９ｃに押圧され、閉状態が保持されるようになっている。
【００６３】
また、スプリング１５の付勢力に抗して保持手段１３をキャップ２３と共に移動（同図中右方向への移動）させ、キャップ２３を採取口１９から離間した状態としつつシャフト部材１４を中心として回動させれば、図９に示すように、採取口１９を開放させた状態とすることができる。これにより、採取口１９（厳密には外周壁部２０）にシリンジや接続ラインＬ３等の接続手段２９を接続することができる。
【００６４】
さらに、本実施形態においては、キャップ２３の閉状態を保持し得る係止手段２７を具備している。かかる係止手段２７は、先端に係止爪２７ａが形成されるとともに、揺動軸Ｌａを中心に揺動自在とされており、当該係止爪２７ａを固定側に形成された棒状の被係止部２６に係止させることにより、キャップ２３の閉状態を保持させ得るよう構成されている。なお、係止手段２７は、スプリング２８により、係止爪２７ａが被係止部２６に係止する方向に常時付勢されている。
【００６５】
しかして、キャップ２３が採取口１９を覆った状態（図８参照）においては、係止爪２７ａが被係止部２６に係止するとともに、スプリング１５の付勢力によってキャップ２３が外周壁部２０（採取口１９側）に押圧され、閉状態が保持されるようになっている。また、スプリング２８の付勢力に抗して係止手段２７を揺動させることにより、係止爪２７ａの被係止部２６に対する係止を解除することができるので、シャフト部材１４を中心として保持手段１３を回動させれば、図９に示すように、採取口１９を開放させた状態とすることができる。
【００６６】
本実施形態によれば、キャップ２３のシール手段２４を加熱し得る加熱手段１２を備えたので、採取口１９を構成する外周壁部２０やキャップ２３のシール手段２４の消毒作業を自動化させることができ、当該外周壁部２０やキャップ２３のシール手段２４を確実かつ容易に清浄化させることができる。また、本実施形態によれば、加熱手段１２は、キャップ２３に固定されたので、当該キャップ２３が採取口１９（外周壁部２０）に取り付けられた状態及び当該採取口１９（外周壁部２０）から取り外された状態の何れにおいてもシール手段２４を加熱して消毒させることができる。なお、本実施形態に係る加熱手段１２は、第１、２の実施形態と同様、通電により加熱可能とされるとともに設定温度に保持可能な半導体ヒータから成るので、温度を一定に保つためのサーミスタ等の別個の手段を不要とすることができ、装置構成を簡素化させることができる。
【００６７】
また、キャップ２３が保持手段１３にて保持されているので、キャップ２３による採取口１９に対するシールを強固かつ確実に行わせることができるとともに、採取口１９を開状態としたとき、キャップ２３の紛失等を回避することができる。また、保持手段１３の向き（シャフト部材１４を中心とした回動位置）を検知する検知手段を設けるようにすれば、採取口１９が開状態であるのか閉状態であるのかを検出させることができる。
【００６８】
次に、本発明の第４の実施形態に係る透析液取出装置について説明する。
本実施形態に係る透析液取出装置は、第１〜３の実施形態と同様、図１で示す如き血液浄化装置の透析液導入ラインＬ１に接続されたもので、図１１、１２に示すように、透析液導入ラインＬ１（液体の流路）に接続されて当該液体（透析液）を流通させ得る導入口９ａ及び導出口９ｂが形成されるとともに、その流通させた液体を採取可能な採取口９ｃが形成された透析液取出手段９と、該透析液取出手段９の採取口９ｃに対して脱着可能とされ、当該採取口９ｃを開閉し得る開閉手段としてのキャップ３０と、シール手段３１と、加熱手段３５と、載置手段３４とを具備したものである。
【００６９】
本実施形態に係るキャップ３０は、一方の面にシール手段３１が形成されるとともに、他方の面がスプリング３２にて図中左方向に常時付勢されるよう構成されている。シール手段３１は、キャップ３０に取り付けられ、当該キャップ３０が透析液取出手段９の採取口９ｃに取り付けられた状態で採取口９ｃをシールするためのものである。このシール手段３１は、板状のシール部材から成り、スプリング３２により付勢されて採取口９ｃの先端開口の周縁に密着してシール可能とされている。
【００７０】
ここで、本実施形態においては、図１２に示すように、透析液取出手段９の採取口９ｃから取り外されたキャップ３０を載置する載置手段３４を具備するとともに、当該載置手段３４には加熱手段３５が取り付けられている。かかる載置手段３４は、伝熱性の良好な金属材料から成るものとされているとともに、内部に加熱手段３５を固定させるための空間が形成されている。
【００７１】
加熱手段３５は、採取口９ｃから取り外された状態のキャップ３０のシール手段３１を加熱し得るもので、第１〜３の実施形態と同様、通電により加熱可能とされるとともに設定温度に保持可能な半導体ヒータから成る。かかる加熱手段３５は、載置手段３４の内部空間における内周面に密着して配設されており、当該載置手段３４を内部から加熱可能とされている。
【００７２】
しかして、加熱手段３５に通電させて発熱させると、載置手段３４を加熱することができ、その熱が透析液取出手段９の採取口９ｃから取り外されたキャップ３０のシール手段３１に伝わって、当該シール手段３１を加熱可能とされている。すなわち、透析液取出手段９の採取口９ｃから取り外されたキャップ３０を載置手段３４に載置させた状態で加熱手段３５に通電させることにより、載置手段３４を介してキャップ３０のシール手段３１を加熱して消毒することができるのである。
【００７３】
なお、本実施形態においては、第１〜３の実施形態と同様、キャップ３０を保持するとともに、透析液取出手段９の採取口９ｃにキャップ３０を取り付けて採取口９ｃを閉とした状態（図１１参照）と当該採取口９ｃからキャップ３０を取り外して採取口９ｃを開とした状態（図１２参照）とで切替可能な保持手段１３を具備している。かかる保持手段１３の構成については、第１〜３の実施形態と同様である。しかして、キャップ３０が採取口９ｃを覆った状態（図１１参照）においては、スプリング１５及びスプリング３２の付勢力によってキャップ３０が採取口９ｃに押圧され、閉状態が保持されるようになっている。
【００７４】
また、スプリング１５の付勢力に抗して保持手段１３をキャップ３０と共に移動（同図中右方向への移動）させ、キャップ３０を採取口９ｃから離間した状態としつつシャフト部材１４を中心として回動させれば、図１２に示すように、採取口９ｃを開放させた状態とすることができる。これにより、採取口９ｃにシリンジや接続ラインＬ３等の接続手段を接続することができる。
【００７５】
さらに、本実施形態においては、キャップ３０の閉状態及び開状態を保持し得る係止手段２７を具備している。かかる係止手段２７は、先端に係止爪２７ａが形成されるとともに、揺動軸Ｌａを中心に揺動自在とされており、当該係止爪２７ａを固定側に形成された棒状の被係止部２６、３３の何れかに係止させることにより、キャップ３０の閉状態又は開状態を保持させ得るよう構成されている。なお、係止手段２７は、スプリング２８により、係止爪２７ａが被係止部２６、３３に係止する方向に常時付勢されている。
【００７６】
しかして、キャップ３０が採取口９ｃを覆った状態（図１１参照）においては、係止爪２７ａが被係止部２６に係止するとともに、スプリング１５及びスプリング３２の付勢力によってキャップ３０が採取口９ｃ側に押圧され、閉状態が保持されるようになっている。また、スプリング２８の付勢力に抗して係止手段２７を揺動させることにより、係止爪２７ａの被係止部２６に対する係止を解除することができるので、シャフト部材１４を中心として保持手段１３を回動させれば、図１２に示すように、採取口９ｃを開放させた状態としてキャップ３０を載置手段３４に載置させることができる。
【００７７】
しかるに、本実施形態においては、採取口９ｃを開放させた状態においても、係止爪２７ａが被係止部３３に係止するとともに、スプリング１５及びスプリング３２の付勢力によってキャップ３０が載置手段３４側に押圧され、当該キャップ３０の載置状態が保持されるようになっている。ここで、本実施形態においては、スプリング１５に加え、スプリング３２によってもキャップ３０が載置手段３４側に付勢されるので、当該キャップ３０を載置手段３４に対してより良好に密着させることができ、加熱手段３５によるシール手段３１の加熱消毒をより確実に行わせることができる。
【００７８】
本実施形態によれば、載置手段３４に載置されたキャップ３０のシール手段３１を加熱し得る加熱手段３５を備えたので、キャップ３０のシール手段３１の消毒作業を自動化させることができ、当該キャップ３０のシール手段３１を確実かつ容易に清浄化させることができる。また、本実施形態によれば、透析液取出手段９の採取口９ｃから取り外されたキャップ３０を載置する載置手段３４を具備するとともに、加熱手段３５は当該載置手段３４に取り付けられたので、載置手段３４により採取口９ａから取り外されたキャップ３０の紛失を回避することができ、かつ、載置されたキャップ３０に対して加熱消毒を図ることができる。
【００７９】
特に、本実施形態においては、保持手段１３にて採取口９ｃから取り外された状態に切り替えられたキャップ３０が載置手段３４にて載置されるよう構成されているので、保持手段１３による切替作業と、載置手段３４に対する載置作業とを同時に行わせることができ、作業性を向上させることができるとともに、その後のキャップ３０の加熱消毒を良好に行わせることができる。なお、本実施形態に係る加熱手段３５は、第１〜３の実施形態と同様、通電により加熱可能とされるとともに設定温度に保持可能な半導体ヒータから成るので、温度を一定に保つためのサーミスタ等の別個の手段を不要とすることができ、装置構成を簡素化させることができる。
【００８０】
上記第１〜４の実施形態によれば、採取口又はキャップ（開閉手段）のシール手段の消毒作業を自動化させることができ、当該採取口又はキャップ（開閉手段）のシール手段を確実かつ容易に清浄化させることができる透析液取出装置を具備した血液浄化装置（血液透析装置）を提供することができる。
【００８１】
以上、本実施形態について説明したが、本発明はこれらに限定されず、例えば加熱手段を半導体ヒータに代えて他の汎用的なヒータとするようにしてもよく、この場合、ヒータによる加熱温度を一定に保持させるべくサーミスタ等を別個配設するのが好ましい。また、本実施形態においては、何れも保持手段１３にてキャップを保持しているが、当該保持手段１３による保持がなされないキャップとしてもよい。
【００８２】
さらに、本実施形態が適用される血液浄化装置は、何れの形態のものであってもよく、例えば、複式ポンプ７に代えてチャンバにて透析液を導入又は排出させるもの、ダイアライザ１に代えて他の形態の血液浄化器を具備したもの等としてもよい。またさらに、本実施形態においては、何れも透析装置本体の透析液導入ラインＬ１に配設されているが、当該透析装置本体内の他の流路に配設したものとしてもよい。
【産業上の利用可能性】
【００８３】
開閉手段のシール手段を加熱し得る加熱手段を備えた透析液取出装置であれば、外観形状が異なるもの或いは他の機能が付加されたもの等にも適用することができる。
【符号の説明】
【００８４】
１…ダイアライザ（血液浄化器）
２…動脈側血液回路
３…静脈側血液回路
４…血液ポンプ
５…動脈側エアトラップチャンバ
６…静脈側エアトラップチャンバ
７…複式ポンプ
８…除水ポンプ
９…透析液取出手段
１０…キャップ（開閉手段）
１１…シール手段
１２…加熱手段
１３…保持手段
１４…シャフト部材
１５…スプリング
１６…シャフト部材
１７…キャップ（開閉手段）
１８…シール手段
１９…採取口
２０…外周壁部
２１…圧力差形成手段
２２…スプリング
２３…キャップ（開閉手段）
２４…シール手段
２５…介在部材
２６…被係止部
２７…係止手段
２８…スプリング
２９…接続手段
３０…キャップ（開閉手段）
３１…シール手段
３２…スプリング
３３…被係止部
３４…載置手段
３５…加熱手段
【図１】
0005748280.tif 000002
【図２】
0005748280.tif 000003
【図３】
0005748280.tif 000004
【図４】
0005748280.tif 000005
【図５】
0005748280.tif 000006
【図６】
0005748280.tif 000007
【図７】
0005748280.tif 000008
【図８】
0005748280.tif 000009
【図９】
0005748280.tif 000010
【図１０】
0005748280.tif 000011
【図１１】
0005748280.tif 000012
【図１２】
0005748280.tif 000013